(57)【特許請求の範囲】
【請求項１】
所定数の米袋が貯蔵可能な貯蔵室に棚部材を着脱自在に備えた貯蔵庫において、貯蔵室内を上下に区切るように棚部材を固定する棚受けと、貯蔵室の一部前面を塞ぐように棚部材を固定する係止部材とを備え、貯蔵室の内壁には複数箇所に垂直のリブを突出形成し、前記係止部材を、内側面に形成したリブよりも貯蔵室内に突出しないように設けたことを特徴とする貯蔵庫。
【請求項２】
貯蔵室内壁の両側面に設けたリブの中間部付近に切欠を設け、該切欠に前記棚受けを備え、前記係止部材を、前記切欠よりも下方の貯蔵室前面に左右一対で対向するように突出形成したことを特徴とする上記請求項１記載の貯蔵庫。
【発明の詳細な説明】
【０００１】
【産業上の利用分野】
本発明は、米袋を長期間保存しておくための貯蔵庫に関するものである。
【０００２】
【従来の技術】
従来この種の装置として、断熱パネルを箱形に連結して形成される本体の上部に冷却ユニットを設け、庫内を米の保存に最適な温度に冷却するものが知られている。このような貯蔵庫は、農家が自家製米を保管しておくのに使われており、必要分だけをその都度取り出していくので、収穫期には満杯に保管されていた米袋が春頃には減少する。こうしてできたスペースには、棚部材が取り付けられて他の物品、例えばビールや野菜などを一時保存するというように使われている。
【０００３】
【発明が解決しようとする課題】
ところで、この棚部材は米袋が満杯に貯蔵されている状態では、取り付けることができないため、米袋が少なくなるまでは貯蔵庫内から取り外して別途保管しておかなければならない。これにより、その保管場所に困り、紛失させてしまう可能性があった。また、このような貯蔵庫の性質上、貯蔵庫を土蔵や物置など不衛生な場所に設置させる場合が多く、不使用時の棚も貯蔵庫の近くに保管されることから、埃が付着したり、蜘蛛の巣が張ったりして衛生的ではない。
そこで本発明は、不使用時の棚を米袋の荷崩れ防止ガードとして利用できるようにし、付加価値の高い貯蔵庫を提供することを目的とするものである。
【０００４】
【課題を解決するための手段】
このような課題を解決するために本発明は、所定数の米袋が貯蔵可能な貯蔵室２に棚部材１０を着脱自在に備えた貯蔵庫において、棚部材１０を通常の棚として貯蔵室２内に取り付けるためのフック１３（棚受け）を設けるとともに、棚部材１０を貯蔵した米袋の荷崩れを防止するガードとして貯蔵室２の一部前面を塞ぐように取り付けるための引掛ボルト１４（係止部材）とを備え、貯蔵室２の内壁には複数箇所に垂直のリブ９を突出形成し、引掛ボルト１４を、内側面に形成したリブ９ａ，９ｂ，９ｅ，９ｆよりも貯蔵室２内に突出しないように設けたものである。
【０００５】
貯蔵室内壁の両側面に設けたリブの中間部付近に切欠１２を設け、この切欠１２にフック１３（棚受け）を備え、前記引掛ボルト１４（係止部材）を切欠１２よりも下方の貯蔵室前面に左右一対で対向するように突出形成したものである。
【０００７】
【作用】
このような本発明の構成により、貯蔵庫２内が米袋で満杯になっているときは、棚部材１０を貯蔵庫２前面に設けた引掛ボルト１４に取り付けることにより、棚部材１０を米袋の荷崩れ防止ガードとして機能させることができる。また、米袋が少なくなったときには、棚部材１０を貯蔵庫２前面から外して貯蔵庫２内のフック１３に取り付けることによって、ビールケースや野菜ケースなどを載せておくことができる通常の棚として機能させることができる。
【０００８】
【実施例】
以下、図面を基に本発明の実施例について説明する。図１は本発明の一実施例の貯蔵庫を示す外観図、、図２は貯蔵庫内部を示す平面断面図、図３，４は正面断面図である。１は貯蔵庫本体で、前面を除く５面を断熱パネル２ａ〜２ｅにより所定容量の箱状に形成した貯蔵室２と、該貯蔵室２の上部に形成され、冷却ユニット１７を内蔵した冷却室３とで構成している。断熱パネル２ａ〜２ｅは、外皮と内皮で囲まれる空間にウレタン等の断熱材を発泡充填して形成される。４，４は前記貯蔵室２の前面開口部に取り付けられる扉で、本体前面のほぼ縦中央部で開閉される２枚の観音扉からなり、裏面周縁には貯蔵室２の開口縁と密着するガスケットパッキン５を取り付けている。
【０００９】
扉４は、前記各断熱パネルと同様に外皮と内皮で囲まれる空間にウレタン等の断熱材を発泡充填して形成される。ガスケットパッキン５は、図２のＡ部に示すように扉４に嵌まる矢印型の固定部５ａと、マグネット６が収納されるマグネット室５ｂと、固定部５ａとマグネット室５ｂとを空間ｓ１を形成するように連結する内側弾性片５ｃ及び外側弾性片５ｄと、内側弾性片５ｃの外側に２層の空間ｓ２，ｓ３を形成する仕切片５ｅ，５ｆと、仕切片５ｆから扉裏面に延びる２つのひれ５ｇ，５ｈとで構成している。これにより、このガスケットパッキン５では、各弾性片によって形成される空間ｓ１，ｓ２，ｓ３に加え、ひれ５ｇ，５ｈが扉裏面に当接してさらに２つの空間が形成されることとなり、５層ものシール空間により庫内の冷気漏れを防止することができる。
【００１０】
また、各扉４の合わせ部は、どちらか一方の扉背面に固着される扉合わせ部材７によって封止される。扉合わせ部材７は、前面を塩化ビニル等の合成樹脂で構成し、その他外周を剛性材料で囲んで平面四角状とし、内部に断熱材を充填して形成される。また、扉４と扉４の合わせ目には、合成樹脂製のシールモール８を突出形成しており、外気の侵入を防止するとともに、熱伝導による結露を防止する働きをしている。
【００１１】
９ａ〜９ｆは貯蔵室２内壁面の上下方向に垂直に突出形成されるリブで、冷気の循環を良好にし米袋が貯蔵室内壁面に接触してカビを発生するといった不都合をなくすとともに、貯蔵庫全体の補強として機能している。リブ９ａ〜９ｆは、軟質のプラスチックを中空に加工したもので、柔軟性と弾力性を有している。１０は棚部材で、複数の丸パイプを所定間隔に配列し、その両端にＬ字状のフランジ部材１１を取り付けて構成している。
【００１２】
このようなリブ９ａ〜９ｆのうち、貯蔵室２の側面に位置するリブ９ａ，９ｂ，９ｅ，９ｆには、棚部材１０が水平状態で嵌まる切欠１２が貯蔵室２内の高さのほぼ中間高さ位置に設けられている。この切欠１２には、図３のＢ部及び図５に示すように、クランク型の棚受けフック１３が設けられている。棚受けフック１３は、先端部１３ａのみが切欠１２に突出するように取り付けられており、その他の部位はリブ内に隠蔽されている。棚部材１０のＬ型フランジ部材１１の水平部１１ａには、このフック１３の先端部１３ａに嵌まる係止孔２１が設けられており、これによって棚部材１０はこの切欠１２に水平状態に取り付けられる。
【００１３】
すなわち、棚部材１０のＬ型フランジ部材１１を切欠１２に入れ、フック１３の先端部１３ａを係止孔２１に差し込むことで、棚部材１０は貯蔵室２内を上下に区切るように水平で取り付けられるのである。こうして、棚部材１０は、貯蔵室２内においてビールケースや野菜ケースなどを載置するための保管空間を形成することができる。尚、切欠１２は、棚部材１０の厚さの２倍程度に設定し、棚部材１０は、幅を貯蔵庫内の幅寸法よりも小さくしている。ここでは、貯蔵室内壁と左右各１０ｍｍ程度の隙間が生じるようにしている。また、切欠１２を複数箇所に設けて、棚部材１０の位置を調節できるようにしてもよい。
【００１４】
１４は貯蔵室２の前方両側面に向かい合うように設けられる引掛ボルトで、リブの切欠１２よりも低い位置に上下に２つ配列し、それぞれ対向するように左右一対で配置されている。引掛ボルト１４は、図４のＣ部及び図６に示すように、一端に貯蔵室２のねじ孔１５に螺合するねじ部１４ａを形成し、他端にドライバー等が差し込める凹溝１４ｂを刻設し、胴部１４ｃは両端部よりも外径を小さく形成している。そして、ねじ部１４ａを貯蔵室２のねじ孔１５にねじ込んだ取り付け状態において、側面視Ｈ字状をなし、その先端部は前記リブ９よりも貯蔵室２内に突出しない大きさで構成されている。
【００１５】
棚部材１０のＬ型フランジ部材１１の垂直部１１ｂには、引掛ボルト１４が嵌まる係止孔１６が設けられており、これによって棚部材１０はこの引掛ボルト１４に垂直状態に取り付けられる。係止孔１６は、ボルト１４の先端部より狭く胴部１４ｃが嵌まる大きさの縦長の固定部１６ａと、この固定部１６ａの長手方向中心にボルト１４の先端部が貫通する挿通部１６ｂを形成しただるま穴であり、挿通部１６ｂからボルト１４の先端を挿通させて固定部１６ａをボルト１４の胴部１４ｃに嵌めることで固定される。こうして、棚部材１０は貯蔵室２の前面部に取り付けられ、最上部の米袋を取り出す際に下方部の米袋を抑えて米袋が崩れることを防ぐ荷崩れ防止ガードとして機能するのである。
【００１６】
図７は本発明の制御系を示すブロック図である。
１８はマイクロコンピュータからなる制御部で、冷却室３の前面に設けられる操作パネル１９からの入力に応じて各種冷却動作を行うもので、貯蔵室２内の温度に応じて冷却ユニット１７を制御する。操作パネル１９には、貯蔵室２内の環境を設定するモード設定キー２０が設けられており、貯蔵室内を野菜などの保存に適した高湿モードと、根菜などの保存に適した低湿モードと、玄米の保存に適した玄米モードと、ジュース・ビール等を玄米と併用して保存するのに適したジュース／ビール／玄米モードが選択できるようになっている。
【００１７】
このような構成をなす本発明の使用形態について説明する。
貯蔵室２内に米袋を収容し、操作パネル１９のモード設定キー２０で玄米モードを選択すると、貯蔵庫２内は玄米貯蔵に適した環境（温度１３℃−湿度約６０〜７０％）に保持される。本実施例では、３０ｋｇの米袋が６袋４列の計２４袋が貯蔵できるようになっているが、貯蔵室２が２４袋いっぱいに貯蔵されている状態では、棚部材１０は、荷崩れ防止ガードとして貯蔵室前面の引掛ボルト１４に取り付けられる。
【００１８】
まず、棚部材１０の一方端側のフランジ部材１１の垂直部１１ｂに開口した係止孔１６を引掛ボルト１４に挿通し、ガタを利用して一方に寄せた後、他方の係止孔１６も引掛ボルト１４に挿通して取り付けられる。引掛ボルト１４への取り付けは、前述したように係止孔１６の挿通部１６ｂから引掛ボルト１４の先端部を通し、引掛ボルト１４の胴部１４ｃに達した後に固定部１６ａにはめて固定される。この固定部１６ａは挿通部１６ｂの上下双方に設けられているため、棚部材１０は方向性なく取り付けられる。
【００１９】
こうして棚部材１０は、貯蔵室内における米袋の前面に取り付けられることで、米袋を取り出す際の抑えとして機能する。このとき棚部材１０は、切欠１２よりも低い位置に取り付けられるので、積み上げた米袋を取り出す際に邪魔にならない。
【００２０】
貯蔵する米袋が減少し、リブ９の切欠１２よりも低くなったら、棚部材１０を通常の棚として利用することができる。これは、前面に取り付けた棚部材１０を外し、リブ９の切欠１２に設けたフック１３に棚部材１０の係止孔２１をはめて取り付けられる。まず、棚部材１０を前側のリブ９ａ，９ｆの切欠１２から後側のリブ９ｂ，９ｅの切欠１２まで水平に挿入した状態からフランジ部材１１の係止孔２１と棚受けフック１３の位置を合わせて棚部材１０を固定するのである。
【００２１】
こうしてできた上部空間には、米袋以外にビールケースや野菜ケースが載置できる。このとき、操作パネル１９のモード設定キー２０でジュース／ビール／玄米モードを選択すると、玄米モードよりも低温の環境（温度５℃−湿度６０〜７０％）に保持され、米とビール等を併用して貯蔵することができるのである。また、前記した引掛ボルト１４は、このような使用形態では不要であるので、米袋を取り出す際に邪魔であればドライバー等で取り外しておくこともできる。
【００２２】
このように本発明における棚部材は、通常の棚板としての機能に加え、荷崩れ防止ガードとして機能させることができるのである。そして、これらの取り付けは、フックやボルトに引っ掛けることで行われるので、一人で簡単に脱着ができる。
【００２３】
【発明の効果】
以上のように本発明は構成され、棚部材を、貯蔵室の一部前面を塞ぐように取り付けることができるようにしたので、貯蔵庫内に米袋がたくさん貯蔵されている状態では荷崩れ防止ガードとして機能させることができ、棚自体の付加価値を向上させることができるとともに、棚の紛失を防ぐことができる。
【００２４】
また、棚部材を、貯蔵室前面に取り付けるための係止部材は、貯蔵室内壁面に設けたリブよりも貯蔵室内に突出しないように設けたので、米袋を取り出す際に引っ掛けて袋を破損させたりすることがない。
【００２５】
更に、棚部材を、貯蔵室内を上下に区切るように固定する棚受けは、貯蔵室の内側面に位置するリブの切欠に設け、係止部材をこの切欠よりも下方に設けたので、棚部材を荷崩れ防止ガードとして機能させている状態で米袋を取り出す際の邪魔にならず、 棚部材の取り付けも容易になる。
【図面の簡単な説明】
【図１】本発明一実施例の貯蔵庫を示す外観図である。
【図２】同貯蔵庫の平面断面図である。
【図３】同貯蔵庫の棚部材１０を取り付けた状態を示す正面断面図である。
【図４】棚部材１０を庫内に取り付ける状態を示す説明図である。
【図５】同貯蔵庫の棚部材１０を前面に取り付けた状態を示す正面断面図である。
【図６】棚部材１０を庫内前面に取り付ける状態を示す説明図である。
【図７】同貯蔵庫の制御系を示すブロック図である。
【符号の説明】
２  貯蔵室
３  冷却室
９  リブ
１０  棚部材
１２  切欠
１３  フック（棚受け）
１４  引掛ボルト（係止部材）
１６  係止孔
２１  係止孔
【図１】
0003728403.tif 000002
【図２】
0003728403.tif 000003
【図３】
0003728403.tif 000004
【図４】
0003728403.tif 000005
【図５】
0003728403.tif 000006
【図６】
0003728403.tif 000007
【図７】
0003728403.tif 000008